(57)【要約】【課題】新規な構造を有しており、装用することによって従来にない新たなコスメティック効果を発揮する色付コンタクトレンズを提供すること。【解決手段】コンタクトレンズの、装用される眼の瞳孔２６上に位置する中央部分を外れた外周部分に、装用される眼の虹彩と異なる色相を有する模様２０を付すと共に、該模様２０に対して階調領域３２，３４を設けた。【選択図】図１
2013130716.tif 000002
【特許請求の範囲】
【請求項１】
装用される眼の瞳孔上に位置する中央部分を外れた外周部分に、装用される眼の虹彩と異なる色相を有する模様が付されていると共に、該模様に対して階調領域が設けられていることを特徴とする色付コンタクトレンズ。
【請求項２】
少なくとも前記模様の外周部分に前記階調領域が設けられている請求項１に記載の色付コンタクトレンズ。
【請求項３】
装用される眼の虹彩と同じ色相で環状のリンバルリングが設けられている請求項１又は２に記載の色付コンタクトレンズ。
【請求項４】
前記リンバルリングの内周部分および外周部分の少なくとも一方の領域に対して、光線透過率が変化する移行領域が設けられている請求項３に記載の色付コンタクトレンズ。
【請求項５】
前記模様が、レンズ周方向に延びる環状の着色リングとされている請求項１〜４の何れか１項に記載の色付コンタクトレンズ。
【請求項６】
前記着色リングが光学部の外周部分に形成されている請求項５に記載の色付コンタクトレンズ。
【請求項７】
装用される眼の虹彩と同じ色相で環状のリンバルリングが設けられていると共に、該リンバルリングの内周側と外周側との少なくとも一方に位置して前記着色リングが形成されている請求項５又は６に記載の色付コンタクトレンズ。
【請求項８】
前記着色リングが、レンズ中心からの半径寸法が４．０ｍｍ〜７．５ｍｍの円環状領域内に形成されている請求項５〜７のいずれか１項に記載の色付コンタクトレンズ。
【請求項９】
前記模様の内周側に位置する領域に、虹彩パターンが描かれている請求項５〜８の何れか１項に記載の色付コンタクトレンズ。
【請求項１０】
前記着色リングの外周側には、非着色領域が設けられている請求項５〜９の何れか１項に記載の色付コンタクトレンズ。
【請求項１１】
前記模様における前記階調領域が、複数の着色ドットで形成されており、該着色ドットの大きさと単位面積当たりの数と該着色ドット自体の濃度との少なくとも一つを変化させることによって光線透過率が異ならされて階調されている請求項１〜１０の何れか１項に記載の色付コンタクトレンズ。
【請求項１２】
請求項１〜１１の何れか１項に記載の色付コンタクトレンズの複数を組み合わせて構成されており、それら各色付コンタクトレンズの模様にはアイシャドーの色相に対応するように、互いに異なる色相が与えられていることを特徴とする色付コンタクトレンズセット。
【請求項１３】
予め準備したコンタクトレンズに対して、
装用される眼の瞳孔上に位置する中央部分を外れた外周部分に、装用される眼の虹彩と異なる色相を有すると共に階調領域が設けられた模様を付すことを特徴とする色付コンタクトレンズの製造方法。
【発明の詳細な説明】
【技術分野】
【０００１】
本発明は、色付コンタクトレンズに係り、特に新規な態様で着色された模様を設けることにより装用者の眼に対して従来に無いコスメティック（美容）効果を与えることが出来る、新規な構造の色付コンタクトレンズに関する。
【背景技術】
【０００２】
従来から、眼の角膜に重ね合わされて装用されるコンタクトレンズの一種として、着色領域を設けた色付コンタクトレンズが、幾つか提案されている。例えば特開２００２−１７４７９９号公報（特許文献１）やＷＯ００／５４０９３号公報（特許文献２）、特表２００８−５１１０２５号公報（特許文献３）には、何れも色付コンタクトレンズが開示されている。
【０００３】
ところで、人の顔は対人関係において重要であり、それ故、従来から多くの女性が顔に化粧を施している。また、「目は口ほどにものを言う」という諺もあるように、顔の中でもとりわけて目は、他人への印象に大きな影響を及ぼす。上述の色付コンタクトレンズは、顔の一部である目の眼球表面に装用されるものであって、対面者から視認可能な状態に置かれることから、装用することにより他人への印象に影響を及ぼす可能性がある。
【０００４】
それ故、上述の如き色付コンタクトレンズを、他人への印象を良くするというコスメティック効果を期待して、装用することも考えられる。
【０００５】
ところが、前記特許文献１〜３に記載の従来の色付コンタクトレンズについて、本発明者がサンプル評価等に基づいて検討した結果、装用者の表情の第三者による評価イメージにおいて美しく見せて好印象を与えるというコスメティック効果は、未だ充分に発揮され難いという知見を得るに至った。
【０００６】
蓋し、上記特許文献１，２に記載の色付コンタクトレンズは、単に落下したコンタクトレンズを見つけ易くしたり装用状態でコンタクトレンズの位置を確認して取り外し易くする目的で、外観上で視認し易いリング状の着色蛍光部や着色識別部を設けたに過ぎない。また、上記特許文献３に記載の色付コンタクトレンズは、コスメティック効果も謳っているが、黒目の外縁をくっきりと大きく見せる目的で、外観上で視認し易いリング状の着色部を設けたに過ぎない。要するに、特許文献１〜３の何れに記載の色付コンタクトレンズも、リング状の着色領域を外観上ではっきりと際立たせて視認させる目的を有するが故に、着色領域の周縁部は明確なラインをもって形成されており、着色領域の内外周縁が何れも明瞭に視認できるラインとされているに過ぎないのである。
【０００７】
そして、このようにラインをくっきりと見せる着色領域を設けた従来の色付コンタクトレンズでは、単に「眼に異なる色の部分をくっきりと設けたり」、「黒目の外縁をくっきりとさせて大きく見せたり」することができて、対面者が受ける印象を異ならせることは出来よう。しかし、従来構造は、その目的からはっきりと際立たせて視認させる目的で明確に視認されるくっきりとしたラインをもって着色領域が形成されているが故に、他者に対して余りに人工的な印象を抱かせてロボットの眼（義眼）のように看取され易い。それ故、特にモデル等でない一般人においては、必ずしも「目ひいては顔」の全体を美しく見せて好印象を与えるという、本来のコスメティック効果の目的を達成し得るものとは言い難いのである。
【先行技術文献】
【特許文献】
【０００８】
【特許文献１】特開２００２−１７４７９９号公報
【特許文献２】ＷＯ００／５４０９３号公報
【特許文献３】特表２００８−５１１０２５号公報
【発明の概要】
【発明が解決しようとする課題】
【０００９】
本発明は、上述の事情を背景に為されたものであって、その解決課題は、装用者の目をより自然に美しく見せることが出来て本来のコスメティック効果を発揮し得る、新規な構造の色付コンタクトレンズを提供することにある。
【課題を解決するための手段】
【００１０】
本発明の特徴とするところは、装用される眼の瞳孔上に位置する中央部分を外れた外周部分に、装用される眼の虹彩と異なる色相を有する模様が付されていると共に、該模様に対して階調領域が設けられていることを特徴とする色付コンタクトレンズにある。
【００１１】
本発明に係る色付コンタクトレンズを装用することにより、虹彩と異なる色相の模様を眼に付することが出来て、他者の興味を眼に引きつけて印象付けることが可能になる。しかも、かかる模様には、階調（グラデーション）による濃淡変化が付されていることから、明確でくっきりしたラインのみからなる着色領域とは異なり、柔らかく優しいイメージを他者に与えることが可能になり、目的とするコスメティック効果が有効に発揮され得るのである。
【００１２】
このような本発明による「虹彩と異なる色相」と「階調」とを併せ備えた「模様」によるコスメティック効果は、顔面への化粧を見ると理解し易い。即ち、顔面に施される化粧は、アイシャドウやアイライナー等において、茶や黒、ピンクの他に青や緑、紫、赤などのノーメイク時の顔面とは異なる色相の化粧品を用いることで立体感やイメージを出し、併せて、階調による濃淡を施すことにより、不自然さを抑えて自然な美しさを表出している。
【００１３】
そして、本発明に係る色付コンタクトレンズによれば、従来の顔面への化粧では実現できなかった眼への化粧を自然な美しさで施すことが可能になるのであり、他者への印象に大きな影響を与える眼そのものに化粧を施すことで、有効なコスメティック効果を得ることが可能になる。特に、従来の色付コンタクトレンズでは、くっきりとしたラインをもってリング状の着色領域が形成されているが故に、化粧としては調和を失って人工的で違和感が大きい印象を与えるものに過ぎなかったのに対して、本発明の色付コンタクトレンズでは、階調によって「ぼかす」「なじませる」という化粧に類似の効果が発揮されることとなり、眼の一部へ着色する模様でもポイントメイク的なコスメティック効果が、柔らかく自然な印象をもって有効に実現され得るのである。具体的には、例えば化粧によって眼瞼に着色されるアイシャドウ等と、眼に着色される模様とを、相互の色相や階調を調節して相互に調和させることも可能であり、それによって、本発明に係る色付コンタクトレンズによるコスメティック効果がより一層有利に発揮され得ることとなる。
【００１４】
また、本発明に係る色付コンタクトレンズでは、少なくとも前記模様の外周部分に前記階調領域が設けられている態様が、好適に採用され得る。
【００１５】
本態様に従って、少なくとも模様の外周部分に階調領域を設けることにより、色付コンタクトレンズの装用状態下で模様の外周側に存在する部分の色に対して模様の色を階調によってなじませて、模様を自然な存在に見せることが可能になる。
【００１６】
また、本発明に係る色付コンタクトレンズでは、装用される眼の虹彩と同じ色相で環状のリンバルリングが設けられている態様が、好適に採用され得る。
【００１７】
本態様に従って、角膜の外周部分にリンバルリングを設けることにより、リンバルリングによって角膜領域（黒目部分）を大きく見せる等のコスメティック効果を併せて得ることができる。なお、本態様のリンバルリングは、本発明に係る改良領域を有する模様とは別に設けることも可能である。
【００１８】
更にまた、上述のリンバルリングを採用するに際しては、かかるリンバルリングの内周部分および外周部分の少なくとも一方の領域に対して、光線透過率が変化する移行領域が設けられていても良い。
【００１９】
リンバルリングに移行領域を設けることにより、リンバルリング自体の存在を自然に見せつつ、例えば角膜領域（黒目部分）を大きく見せて優しさや愛らしさを強調するコスメティック効果を併せて得ることなどが可能になる。
【００２０】
また、本発明に係る色付コンタクトレンズでは、前記模様が、レンズ周方向に延びる環状の着色リングとされている態様が、好適に採用され得る。
【００２１】
本態様に従えば、装用時に眼の瞳孔の周囲に着色リングを設けることが可能になり、かかる着色リングの内周及び／又は外周に階調領域を設けることにより、自然で馴染んだ外観を大きく損なうことなく、角膜の外観色を変化させたり、角膜の外周部分に角膜とは異なる色のコスメティック領域を設けたりすることも可能になる。
【００２２】
すなわち、特にかかる着色リングを、光学部の外周部分に形成することにより、自然な外観を大きく損なうことなく、角膜領域を大きく見せたり、角膜領域の外周側に角膜と異なる色の着色領域を形成するなどして、一層優れたコスメティック効果を得ることが可能になる。
【００２３】
さらに、模様としての着色リングは、装用される眼の虹彩と同じ色相で形成された環状のリンバルリングと併せて採用することも可能である。その場合には、リンバルリングと同心上でリンバルリングの内周側と外周側との少なくとも一方に着色リングが形成されることが望ましい。
【００２４】
リンバルリングの内周側に着色リングを形成することにより、例えば着色リングの色の外観上の認識性を向上させることができる。一方、リンバルリングの外周側に着色リングを形成することにより、例えば外観上の黒目部分から白目に至る境界部分に階調による色相の移行領域を設けて、白目部分や眼瞼との色の調和を一層効果的に図ることも可能になる。なお、リンバルリングの内周側に着色リングを形成する場合に、着色リングの更に内周側にリンバルリングを形成したり、又は、リンバルリングの外周側に着色リングを形成する場合に、着色リングの更に外周側にリンバルリングを形成することにより、着色リングの内外周両側にリンバルリングを設けることも可能である。
【００２５】
なお、模様としての着色リングを光学部の外周部分に形成するに際しては、かかる着色リングを、レンズ中心からの半径寸法が４．０ｍｍ〜７．５ｍｍの円環状領域内に形成することが望ましい。半径寸法を４．０ｍｍ〜７．５ｍｍ（直径が８．０ｍｍ〜１５ｍｍ）の領域内に着色リングを形成することにより、光学部への悪影響を可及的に回避すると共に、外観上で角膜（黒目部分）を不自然にまで大きくし過ぎることなく白目部分を適度に残すことにより、外観上で視認可能でコスメティック効果が有効に発揮され得る着色リングを一層効果的に得ることが可能になる。
【００２６】
さらに、本発明に係る色付コンタクトレンズでは、前記模様の内周側に位置する領域に、虹彩パターンが描かれている態様が好適に採用される。
【００２７】
この態様によれば、模様、特に着色リングの内周側において、虹彩パターンが描かれる。虹彩パターンは、ドット、多角形、線分等、或いはこれらの組み合わせの形状で良く、色相も虹彩と略同じ色相や、或いは全く異なる色相でも良いし、着色リングの色相と揃えても良い。例えば、虹彩パターンの色相として虹彩と略同じ色相を選択する場合は、第三者が視認する際に、眼に更なる奥行き感を与えつつも、色付コンタクトレンズを装着しているという印象を与えにくくなる。また、虹彩パターンの色相として虹彩と全く異なる色相を選択する場合は、第三者に虹彩の色相の変化を認識されやすい。特に、虹彩パターンを採用することは、本発明に係る着色リングと相俟って、更なるコスメティック効果が期待され得る。
【００２８】
また、模様としての着色リングを光学部の外周部分に形成するに際しては、かかる着色リングの外周側に、非着色領域が設けられていることが望ましい。
【００２９】
このような非着色領域を、着色リングの更に外周側に設けることにより、コンタクトレンズの外径寸法に拘わらず、着色帯の外径寸法を大きな自由度で設定することが可能となる。
【００３０】
なお、本発明に係る色付コンタクトレンズにおいて、虹彩と異なる色相で形成される、階調領域を有する模様は光学部を囲む環形状で形成されることが必須でない。例えば、光学部を外れた外周部分において、光学部の周上で一カ所又は複数箇所に位置するようにして、かかる模様を形成することも可能である。
【００３１】
さらに、本発明に係る色付コンタクトレンズでは、前記模様における前記階調領域が、複数の着色ドットで形成されており、該着色ドットの大きさと単位面積当たりの数と該着色ドット自体の濃度との少なくとも一つを変化させることによって光線透過率が異ならされて階調されている態様が、好適に採用される。
【００３２】
このように着色ドットを用いてレンズへの着色を施すことにより、着色ドットの大きさや密度の調節等によって、模様における階調を大きな自由度で容易に且つ精度良く設定することが可能になる。例えば、着色ドットの濃度を次第に変化させることにより光線透過率の変化としての階調を実現することが可能であり、また、着色ドットを３原色等の複数色で構成することにより、多様な外観上の色を表現したり、各色の着色ドットの割合を変化させることで色彩のグラデーションを表現することも可能になる。更に、模様を着色ドットで形成することにより、模様が瞳孔まで及んだ場合でも、視覚に対する悪影響を軽減することも可能になる。
【００３３】
なお、本発明における模様には、階調領域の他に一定の光線透過率で広がる定色領域が設けられていても良く、かかる定色領域も、全面をべた塗り状態で着色する他、多数の着色ドットを全体に亘って均一に設けることによって形成することができる。これにより、定色領域と階調領域からなる模様の全体を着色ドットで形成することが可能となる。
【００３４】
また、着色ドットで階調領域を実現するに際しては、着色ドットの大きさや密度や濃度を、径方向で連続的に変化させる他、段階的に変化させても良い。具体的には、例えば円やハート形等の適当な外周形状で且つ中央が塗りつぶされた中実状の着色ドットを採用し、かかる着色ドットの大きさを、レンズ径方向で複数段階に変化させることにより、或いは、円やハート形等の適当な外周形状で且つ中央に非着色領域を有する環状の着色ドットを採用して、かかる着色ドットの環状線の太さ又は中央の非着色領域の大きさを、レンズ径方向で複数段階に変化させることにより、径方向の階調を実現することも可能である。
【００３５】
さらに本発明は、前記態様の何れか１つに記載の色付コンタクトレンズの複数を組み合わせて構成されており、それら各色付コンタクトレンズの模様にはアイシャドーの色相に対応するように、互いに異なる色相が与えられている色付コンタクトレンズセットを特徴とする。
【００３６】
本色付コンタクトレンズセットによれば、アイシャドーの色相に対応した色相の模様を有する色付コンタクトレンズを選択することができる。アイシャドーの色相と色付コンタクトレンズの模様の色相を互いに組み合わせることにより、一層のコスメティック効果が発揮され得る。またアイシャドーも気分や雰囲気に応じて使い分けられるため、色付コンタクトレンズが複数色の模様を有する複数種類の色付コンタクトレンズを組み合わせたセットの状態で提供されることにより、各色のアイシャドーと適宜に組み合わせることができる。また、前述の虹彩パターンを有する色付コンタクトレンズに適用することも可能であり、それによってアイシャドー、着色リング、虹彩パターンの各色の組み合わせをその時の気分や雰囲気に応じて楽しむことができる。
【００３７】
さらに、本発明は、予め準備したコンタクトレンズに対して、装用される眼の瞳孔上に位置する中央部分を外れた外周部分に、装用される眼の虹彩と異なる色相を有すると共に階調領域が設けられた模様を付す色付コンタクトレンズの製造方法も、特徴とする。
【００３８】
本発明方法に従えば、予め所定の光学特性をもって製造したコンタクトレンズを用い、その表裏の少なくとも一方の面に対して着色することにより、目的する色付コンタクトレンズが実現されることから、光学特性への影響を可及的に回避しつつ、適宜の模様が付された色付コンタクトレンズを容易に得ることが可能となる。
【００３９】
なお、模様を付す手法としては、公知の各種の手法が採用可能であり、具体的にはパッド印刷法や、インクジェット印刷法などが挙げられる。
【発明の効果】
【００４０】
本発明に従う構造とされた色付コンタクトレンズでは、階調領域における色の濃淡を眼に対して与えたことにより、色のぼかしや馴染みを加味した着色によって、装用者の眼に対して自然で違和感なく色味を施すことを可能と為し得た。その結果、眼に対して自然な化粧が実現可能となり、優れたコスメティック効果が発揮され得るのである。
【００４１】
また、本発明方法に従えば、高精度な光学特性を確保しつつ、本発明に係る色付コンタクトレンズを、適宜の模様を付して容易に且つ効率的に製造することが可能になる。
【図面の簡単な説明】
【００４２】
【図１】本発明の第一の実施形態である色付コンタクトレンズを示す平面説明図。
【図２】図１に示された色付コンタクトレンズにおける模様の階調を説明するためのグラフ。
【図３】図１に示された色付コンタクトレンズの装用状態を説明するための平面説明図。
【図４】本発明において採用される模様としての着色リングの他の具体例を示す説明図であって、（ａ）は内周部分に階調領域が設けられた模様の平面図とその階調を説明するためのグラフであり、（ｂ）は外周部分に階調領域が設けられた模様の平面図とその階調を説明するためのグラフ。
【図５】本発明において採用される模様として、外周部分に階調領域が設けられた円形模様を示す平面図とその階調を説明するためのグラフ。
【図６】本発明において採用される模様として星形の枠体模様を示す平面図であって、（ａ）は内外周部分にそれぞれ階調領域が設けられた模様の平面図、（ｂ）は内周部分に階調領域が設けられた模様の平面図、（ｃ）は外周部分に階調領域が設けられた模様の平面図。
【図７】本発明において採用される模様として、外周部分に階調領域が設けられた星形模様を示す平面図。
【図８】本発明の別の実施形態として、階調領域を有する着色模様がリンバルリング上に設けられた、色付コンタクトレンズを示す平面説明図であって、（ａ），（ｂ），（ｃ）の左図は互いにリンバルリングの異なる態様例を示すと共に、各右図は各左図の要部拡大詳細図である。
【図９】本発明の更に別の実施形態として、上図は、階調領域を有する着色模様が、リンバルリングの内外に設けられた色付コンタクトレンズを示す平面説明図であり、下図は、上図における要部拡大詳細図である。
【図１０】本発明の更に別の実施形態として、階調領域を有する着色リングが、リンバルリングの内周側に設けられた色付コンタクトレンズを示す平面説明図。
【図１１】本発明の更に別の実施形態として、階調領域を有する着色リングが、リンバルリングの外周側に設けられた色付コンタクトレンズを示す平面説明図。
【図１２】本発明の更に別の実施形態として、虹彩パターンを有する色付きコンタクトレンズを示す平面説明図。
【図１３】（ａ）は本発明の一つの実施形態である色付コンタクトレンズであり、（ｂ）及び（ｃ）はその色付コンタクトレンズを人眼に装用した状態を示す正面説明図。
【図１４】（ａ）は本発明の別の実施形態である色付コンタクトレンズであり、（ｂ）及び（ｃ）はその色付コンタクトレンズを人眼に装用した状態を示す正面説明図。
【発明を実施するための形態】
【００４３】
以下、本発明の実施形態について、図面を参照しつつ説明する。
【００４４】
図１には、本発明の第一の実施形態としての色付コンタクトレンズ１０の正面視を拡大した説明図が示されている。この色付コンタクトレンズ１０は、従来公知のコンタクトレンズに従った形状を有しており、眼の角膜の表面に重ね合わされて装用されるように、球状凸面形状とされた前面と球状凹面形状とされた後面とを有する球冠形状をもって形成されている。
【００４５】
なお、色付コンタクトレンズ１０としては、その材質が限定されることなく、例えばＲＧＰレンズ（酸素透過性レンズ）やＰＭＭＡ（ポリメチルメタアクリレート）等のハードレンズの他、ＰＨＥＭＡ（ポリヒドロキシエチルメタクリレート）等の含水性やアクリル系エラストマー等の非含水性或いはシリコーンハイドロゲル等の高酸素透過性の如きソフトコンタクトレンズが、何れも採用され得る。特に、ソフトコンタクトレンズは、ハードコンタクトレンズに比して、一般に大径で白目１２の部分も充分に覆い、且つ装用時の角膜上での移動量も小さいことから、本発明において好適に採用され得る。
【００４６】
また、かかる色付コンタクトレンズ１０は、角膜に重ね合わされる中央領域に対して特定の光学特性を持たせて近視や遠視、老視等の視力異常に対する矯正機能を与えた視力補正用コンタクトレンズであっても良いが、そのような特定の光学特性を持たない非視力補正用コンタクトレンズであっても良い。非視力補正用コンタクトレンズとして提供される場合には、例えばコスメティックレンズ（美容又はおしゃれ用のコンタクトレンズ）の用途とされ得る。
【００４７】
そして、本実施形態の色付コンタクトレンズ１０は、図２〜３に説明用のグラフおよび正面図が示されているように、その外径寸法（ＤＩＡ）が、眼の黒目１４の部分を全体に覆い、且つ白目１２の部分まで所定幅で覆い得るようになっている。即ち、眼の黒目１４の部分と白目１２の部分との境界線（リンバル）１６が、色付コンタクトレンズ１０の外周縁であるエッジ部１８よりも内周側に位置するようになっている。なお、黒目１４は、眼の虹彩の色を外部から視認できる領域であるが、透明な角膜を通じて虹彩を見ることの出来る領域であり、それ故、境界線１６は、角膜とその外周側に位置する白色の強膜との境界線として理解され得る。
【００４８】
さらに、かかる色付コンタクトレンズ１０には、特定領域において、装用される眼の虹彩と異なる色相をもって着色された模様２０が設けられている。
【００４９】
すなわち、かかる模様２０は、黒目１４の部分の虹彩と異なる色相で形成されることにより、色付コンタクトレンズ１０を装用した状態で、他者から模様２０を視認することが出来るようにされる。なお、人眼の虹彩の色はメラニン色素の量に応じて黒（ブラック）や濃褐色（ブラウン）、青（ブルー）などがあるが、目的とするコスメティック効果を一層有利に得るためには、色相環において±６０以上に離れた色相を採用することが望ましい。尤も、黒（ブラック）の虹彩の人眼では、各種の有彩色を採用することでコスメティック効果を得ることが可能となる。
【００５０】
また、模様２０は、色の三要素のうちで色相が虹彩と異なれば、色付コンタクトレンズ１０の装用状態で他者から模様２０を視認することが出来ることから、彩度や明度（色調）は、コスメティック効果の目的等を考慮して調節することができる。例えば、華やかさを強く印象付けたいような場合にはＰＣＣＳ（日本色彩研究所配色体系）値で「ｖ」とされる色調（彩度１００％，明度５０％）等が好適であり、柔らかさや初々しさを出したいような場合にはＰＣＣＳ値で「ｐ」とされる色調（彩度１５％，明度９２．５％）等が好適に採用される。なお、このような色調の設定は、例えば人顔における化粧を参考にして、特にアイシャドウやアイライン等を参考にして行うことが可能である。
【００５１】
さらに、本実施形態では、かかる模様２０が、レンズ幾何中心軸２２と同一中心軸上でレンズ周方向に延びて円環形状に広がる着色リング２４として形成されている。
【００５２】
この模様２０である着色リング２４は、装用される眼の境界線１６が、全周に亘って、着色リング２４に重なって周方向に延びるように形成されている。即ち、着色リング２４は、境界線１６の内周側と外周側との両方に跨がって径方向に広がるだけの径方向幅を備えており、境界線１６の内周側では着色リング２４が黒目１４の上に重ね合わされると共に、境界線１６の外周側では着色リング２４が白眼１２の上に重ね合わされるようになっている。
【００５３】
なお、かかる着色リング２４は、装用者の日常生活の多くの状況下で、瞳孔２６には殆ど重なることが無い程度に、瞳孔２６上に位置する中央部分を外周側に外れた外周部分に位置するように、その内径寸法を設定されることが望ましい。即ち、瞳孔２６を通じて眼球に光を透過する光学部の外側を囲むようにして、光学部の外周部分に着色リング２４が形成されることが望ましい。これにより、着色リング２４が視覚に与える影響が抑えられる。一方、着色リング２４の外径寸法は、白目１２を所定幅で覆い得るようにされる。これにより、リンバル１６を外観上で大きく見せるコスメティック効果が発揮される。
【００５４】
特に、色付コンタクトレンズ１０が、視力補正用コンタクトレンズとされる場合には、着色リング２４の内周側に外れて位置して着色リング２４で囲まれた中央領域に対して、視力補正の光学特性をもった光学部が設けられる。そして、かかる光学部を外周側に外れた外周部分に形成される、眼光学系への矯正光学特性をもたない周辺部に対して着色リング２４が設けられることが望ましい。
【００５５】
また、着色リング２４は、色付コンタクトレンズ１０の最外周のエッジ部１８にまで至って設けられていても良いが、本実施形態では、着色リング２４の外径寸法が色付コンタクトレンズ１０の外径寸法（ＤＩＡ）よりも小さくされており、着色リング２４とエッジ部１８との間に、径方向所定幅で周方向に広がる円環形状の非着色領域としての外周透明領域２８が設けられている。
【００５６】
このような着色リング２４は、目的とするコスメティック効果等を充分に得るために、０．５〜３．５ｍｍの径方向の幅寸法をもって形成されることが好適であり、より好適には１．０〜２．５ｍｍの径方向の幅寸法で形成される。なお、着色リング２４の径方向幅寸法は、周方向の全長に亘って一定である必要はなく、また、その内周縁形状や外周縁形状を円形以外の楕円形等の異形状としても良いが、好適には周上で一定の幅寸法を有する円環形状をもって形成される。
【００５７】
また、着色リング２４の内径寸法は、瞳孔径等を考慮してφ８．０ｍｍ以上（半径寸法が４．０ｍｍ以上）とされることが好適であり、瞳孔の拡径を考慮すると、より好適にはφ９．０ｍｍ以上（半径寸法が４．５ｍｍ以上）、更に好適にはφ１０ｍｍ以上（半径寸法が５．０ｍｍ以上）やφ１２ｍｍ以上（半径寸法が６．０ｍｍ以上）とされる。
【００５８】
一方、着色リング２４の内周部分が、黒目１４に対して被せられるように、一般人の角膜の大きさを考慮して、着色リング２４の内径寸法は、φ１３ｍｍ以下（半径寸法が６．５ｍｍ以下）とされることが好適である。特に、着色リング２４の外周には、装用時に白目１２の領域を充分に残しておくことが自然であり、且つ白目１２の美しさを見せることがコスメティック効果に有効であること等から、着色リング２４の外径寸法は、φ１５ｍｍ以下（半径寸法が７．５ｍｍ以下）とすることがより好適である。更に、着色リング２４の外径寸法は、白目１２を所定幅で覆い得るように、φ１１ｍｍ以上とされることが好適であり、より好適にはφ１２ｍｍ以上とされる。
【００５９】
ここにおいて、着色リング２４はその光線透過率が一様ではなく、濃淡が変化した階調領域が設けられている。本実施形態では、着色リング２４の径方向中間部分において、光線透過率が一定とされた定色領域３０が、径方向所定幅で周方向の全周に亘って延びる円環形状をもって形成されている。そして、着色リング２４の外周部分に位置する、定色領域３０の外周側では、着色リング２４の光線透過率が外周側に向かって次第に低下する外周階調領域３２が形成されている。また、着色リング２４の内周部分に位置する、定色領域３０の内周側では、着色リング２４の光線透過率が内周側に向かって次第に低下する内周階調領域３４が形成されている。
【００６０】
さらに、着色リング２４を構成する、これら定色領域３０，外周階調領域３２，内周階調領域３４は、以下（１）〜（４）の条件を満たすことが望ましい。
（１）定色領域３０は、実質的に設けないことも可能であるが、目的とするコスメティック効果を充分に得るためには０．０１ｍｍ以上で且つ３．５ｍｍ以下の径方向幅寸法をもって形成されることが望ましい。
（２）定色領域３０は、リンバル１６に重なる位置に設けることが望ましいことから、一般人の角膜の大きさを考慮して、定色領域３０は、レンズ中心から半径方向距離で４．５ｍｍ〜７．０ｍｍの領域内に形成されるのが好適である。即ち、図２中において、レンズ幾何中心軸２０から、定色領域３０と内周階調領域３４の境界を表すＤ１が４．５ｍｍ以上、且つ、レンズ幾何中心軸２２から、定色領域３０と外周階調領域３２の境界であるＤ２が７．０ｍｍ以下であることが望ましい。これにより、眼光学系への悪影響を回避すると共に、不自然に感じられる程に白目１２領域が小さくなり過ぎてしまうことも防止される。
（３）外周階調領域３２の径方向幅寸法は、０．５ｍｍ〜２．５ｍｍとすることが望ましく、より好適には０．７ｍｍ〜１．５ｍｍとされる。
（４）内周階調領域３４の径方向幅寸法は、０．５ｍｍ〜２．５ｍｍとすることが望ましく、より好適には０．７ｍｍ〜１．５ｍｍとされる。
【００６１】
このような着色リング２４を設けたことにより、特に定色領域３０によって装用状態下で他者から見える眼に対して虹彩とは異なる色を充分に視認させることが出来ると共に、外周階調領域３２および内周階調領域３４によって人工的で不自然な感じを軽減しつつ、人眼への化粧と類似のコスメティック効果を得ることが可能となる。
【００６２】
特に、外周階調領域３２によって、着色リング２４の外周側を眼の白目１２の部分に対して自然な感じで階調させて同化する領域が形成される。また、内周階調領域３４によって、着色リング２４の内周側を眼の黒目１４の部分に対して自然な感じで階調させて同化する領域が形成される。これにより、色付コンタクトレンズ１０の装用時に、眼の黒目１４の部分や白目１２の部分において、着色リング２４の内周縁や外周縁によって不自然な境界線が目立って形成されてしまうことが防止される。
【００６３】
その結果、色付コンタクトレンズ１０を装用することにより、人眼の化粧と同様に、着色リング２４によって虹彩と異なる人工的な色を与えつつ、不自然な感じを軽減させることができる。しかも、光線透過率が高い部分から光線透過率が低い部分に階調させる階調領域は、人眼の化粧と同様に、外観上で立体感を抱かせることも可能となる。
【００６４】
従って、本実施形態の着色リング２４を備えた色付コンタクトレンズ１０によれば、従来では実現不可能であった「立体感の表出」や「ぼかす」，「なじませる」，「際立たせる」等という、自然色とは異なる色相の色を用いた化粧技法が、人眼に対して施すことが可能となるのである。その結果、状況や好みなどに応じて、装用者が望む印象を他者に抱かせるような自由度のあるコスメティック効果が、かかる色付コンタクトレンズ１０によって容易に実現可能となるのである。
【００６５】
しかも、この色付コンタクトレンズ１０は、着色リング２４において人眼の化粧と同様な手法を採用することから、人眼に施された化粧と組み合わせて、眼を含む顔の全体の化粧を統一的に創作して施すことも可能と為し得る。具体的には、例えばアイシャドウと似た色相の着色リング２４を採用することで、眼と眼瞼の両方に亘って統一感のある化粧を実現すること等も可能になる。
【００６６】
なお、着色リング２４は、装用者の好みや用途、虹彩色等に応じて、色相や光線透過率、色調等を適宜に設定することが可能であるが、目的とするコスメティック効果を一層効果的に得るためには、着色リング２４の光線透過率が最も高い領域（本実施形態では定色領域３０）において、光線透過率（最大値）が３０％以上で且つ９０％以下の範囲内に設定されることが望ましい。着色リング２４における光線透過率の最大値が９０％より大きいと、装用状態での外観上において人工的で不自然な感じを与え易くなる一方、３０％を下回ると、外観上での視認性が低くなってコスメティック効果が充分に発揮され難くなるおそれがある。
【００６７】
また、着色リング２４の色は、例えば定色領域３０と外周階調領域３２と内周階調領域３４とにおける一つ又は複数を異ならせることも可能であるが、着色リング２４の全体を同じ色、即ち同じ色相とすることが好ましい。これにより、外観上でより自然な印象を与えることができると共に、着色リング２４の形成も容易となる。
【００６８】
なお、着色リング２４において、定色領域３０，外周階調領域３２，内周階調領域３４は、何れも光線透過率が周方向で偏在的に異なることなく全周に亘って一定とされていることが望ましい。また、これら定色領域３０，外周階調領域３２，内周階調領域３４における径方向幅寸法も、周方向で局所的に異なることなく、全周に亘って一定とされていることが望ましい。これにより、色付コンタクトレンズ１０を、周方向で位置決めすることなく容易に装用することが可能になると共に、着色リング２４を、外観上で一層自然な感じにすることが可能となる。
【００６９】
ところで、かかる着色リング２４の形成方法は限定されるものでなく、例えば特開平３−５４５１９号公報等に記載されているようにコンタクトレンズの成形モノマーを注型してコンタクトレンズを成形する際に着色したり、手描きや写真印刷、スクリーン印刷等も可能ではあるが、被着面が球面状であることや、量産性、着色精度、色の再現性などを考慮すると、パッド印刷又はインクジェット印刷が好適である。
【００７０】
パッド印刷は、例えば金属板に対してエッチング処理で形成したドットパターンに着色剤を充填した後、シリコンパッドを用いてドットパターンの着色剤を移し取り、予め準備したコンタクトレンズに対して、かかるドットパターンの着色剤を転写することによって着色リング２４を形成することが出来る。
【００７１】
より好適には、インクジェット印刷が採用される。インクジェット印刷は、公知のとおりピエゾ素子等をアクチュエータとして着色剤を微小な多数のノズルから吹出させて、予め準備したコンタクトレンズの被着色面に対して直接に被着させるものである。このようなインクジェット印刷では、コンタクトレンズへのパッド等の押圧が不要であり、微小なドットを高精度に形成できることや、複数色のドットの数や相互割合を調節することで多様な色を全体として発現させることが容易であること等から、特に好適である。
【００７２】
さらに、かかる着色リング２４の着色態様も限定されるものでなく、全面に亘って透光性の着色材によるべた塗り態様であっても良いが、透光性又は不透光性の着色剤でドット状に着色することが、光線透過率や色相，色調の調節を精度良く且つ容易に行えること等から好適である。特にドット状の着色は、コンタクトレンズを成形後に、その前面と後面の何れか一方或いは両方に対して、染料又は顔料を含む着色剤を小さな点状に付着させることによって行われ得る。
【００７３】
なお、着色リング２４の存在を外観上で明瞭化してコスメティック効果の更なる向上を図るには、虹彩や白目１２に対する隠蔽性の高い顔料が、着色材として好ましい。また、具体的な着色材としても、従来から公知の各種の着色材が顔料と染料の区別や色の区別等なく、適宜に採用され得る。即ち、目的とする色を考慮して選択された一種或いは複数種類の適当な顔料や染料を、それに対応した溶媒と混合することで得られた着色材を用いることが出来、かかる着色材には、着色されるコンタクトレンズの材質や採用される定着処理等に対応した硬化剤や添加剤等が適宜に配合され得る。
【００７４】
また、着色材ひいては着色ドット３６に採用される色は、前述のとおり限定されるものでないが、特に本発明では、その色相等の調節策として、前述のように着色ドット３６の大きさや密度（間隔）を調節したり、互いに異なる複数色の着色ドット３６を設けて各色の割合を調節することも可能である。例えば色の三原色を用いてそれらの割合を調節することで混色法に基づいて各種の色を表現させることも可能であり、人眼への化粧に用いられるラメ等を追加することも可能である。なお、かかる着色ドット３６の付着方法としては、上述のインクジェット印刷が好適である。
【００７５】
或いは、コンタクトレンズの前面と後面の層間に着色ドット３６を形成したものも本発明に用いることが可能である。かかる層間に着色ドット３６を形成する方法としては、前面あるいは後面側の半層に着色ドット３６を設け、残りの半層を接着する方法があげられる。このようにすれば、着色層の前後両面側にそれぞれ透明層を設けた積層構造の色付コンタクトレンズを得ることが出来る。なお、前述のとおり、着色層は、印刷層として形成することの他、前記特開平３−５４５１９号公報等に記載されているように着色材を溶解させた着色の成形モノマーを用いて着色樹脂層として形成することも可能である。また、着色層の形成方法や着色剤の光線透過率等にもよるが、各少なくとも一層の着色層と透明層からなる積層構造を採用する場合には、各透明層の層厚さを５μｍ〜３００μｍとすると共に、各着色層の層厚さを０．２μｍ〜１００μｍとすることが望ましい。特に着色層として、パッド印刷やインクジェット印刷等による印刷層を採用する場合には、透明層よりも印刷層の層厚さが小さく設定されることが好ましい。
【００７６】
また、着色ドット３６をインクジェット印刷でレンズに付着および定着させることによって形成された着色リング２４では、各着色ドット３６自体の大きさや濃度（光線透過率）を異ならせることで、内周側から径方向中央部分に向かって光線透過率を大きく、また径方向中央部分から外周側に向かって光線透過率を小さく変化させることも可能である。一方、図１に示された本実施形態の色付コンタクトレンズ１０では、各着色ドット３６自体の濃度（光線透過率）が同じ着色ドット３６を採用し、かかる着色ドット３６の単位面積当たりの数（密度）を、色付コンタクトレンズ１０の径方向位置に応じて異ならせることで、外周階調領域３２および内周階調領域３４における光線透過率を変化させている。
【００７７】
具体的には、本実施形態では、同一の大きさ及び形状とされた円形の着色ドット３６が採用されており、各着色ドット３６自体は同じ色及び濃度（光線透過率）を有している。そして、定色領域３０では、着色ドット３６の間隔や大きさが適切に設定されることにより、全面に亘って着色がべた塗り状態で施されている。一方、外周階調領域３２および内周階調領域３４においては、着色ドット３６の密度が径方向位置に応じて異ならされることによって、径方向の階調が実現されている。具体的には、例えばレンズ幾何中心軸２２回りに延びる仮想的な円形配列ラインを、径方向で一定間隔をもって同心的に複数想定し、それら各円形配列ライン上に着色ドット３６を配列した場合に、着色ドット３６の相互間隔が、周方向では実質的に同じに設定されている一方、径方向では次第に変化されている。そして、外周階調領域３２では、径方向内方から径方向外方に行くに従って着色ドット３６の周方向間隔が小さくされている。また、内周階調領域３４では、径方向外方から径方向内方に行くに従って着色ドット３６の周方向間隔が小さくされている。
【００７８】
なお、図１は、理解を容易とするために拡大したものであり、また、面上では、各着色ドット３６の配列をイメージし易くするために、着色ドット３６の間隔や大きさ等を正確には表していない。また、図１では、特許図面の制限上の理由から、具体的な色を表せていない。実際には、各着色ドット３６が、装用される虹彩が黒色として、青色や赤色などとされる。
【００７９】
ここにおいて、着色剤ひいては着色ドット３６に採用される色は限定されるものでないが、特に本発明では、定色領域３０、外周階調領域３２、内周階調領域３２の各々について色相を異ならせるようにしても良い。色相は、例えばマンセルの表色系で把握される。具体的には、マンセルの色相環において、５つの基本色の各中間に計５つを設けた（Ｒ，ＹＲ，Ｙ，ＧＹ，Ｇ，ＢＧ，Ｂ，ＰＢ，Ｐ，ＲＰ）計１０の色相を想定した場合には、それらの中でＧ又はＢを含む色（ＧＹ，Ｇ，ＢＧ，Ｂ，ＰＢ）が好ましく、これらの暗色が更に好ましい。もしくは、茶、黒等も本発明では好適に採用される。
【００８０】
なお、上述の第一の実施形態としての色付コンタクトレンズ１０では、着色リング２４の内周領域と外周領域とにそれぞれ階調領域が設けられていたが、内周領域と外周領域との何れか一方だけに階調領域を設けても良い。
【００８１】
具体的には、例えば、第一の実施形態における外周階調領域３２も定色領域３０と同じ色および光線透過率とすることで、図４（ａ）に示されているように、着色リング２４の径方向中間部分から外周縁部に至るまでの領域を全体に亘って定色領域３０としても良い。或いは、第一の実施形態における内周階調領域３４も定色領域３０と同じ色および光線透過率とすることで、図４（ｂ）に示されているように、着色リング２４の径方向中間部分から外周縁部に至るまでの領域を全体に亘って定色領域３０としても良い。このように定色領域３０の外周縁部又は内周縁部を際立たせることにより、虹彩と異なる色の着色リング２４を目立たせる一方、定色領域３０の内周縁部又は外周縁部をなじませてぼかすといった化粧手法が可能となる。
【００８２】
また、本発明に従って虹彩と異なる色相で形成される、階調領域を有する模様は、第一の実施形態における着色リング２４のように光学部を囲む環形状で形成されることが必須でない。例えば、光学部を外れた外周部分において、光学部の周上で一カ所又は複数箇所に位置するようにして、かかる模様を形成することも可能であり、その場合には、着色リング２４のように模様の中央部分に透孔性の光学部等を設ける必要がないことから、形状や大きさ等といった模様の設計自由度が大きくなる。
【００８３】
具体的には、例えば図５に示されているように、中央部分が全体に亘って塗りつぶされたように光線透過率が大きくされた中実状の着色領域を有する着色模様３８を採用することも可能である。このように中央部分が最大の光線透過率で広がる定色領域３０とされた着色模様３８では、外周部分に外周階調領域３２を形成することができる。このように中央部分が全体に亘って着色された着色模様３８では、環状の着色リング２４に比して、外観上でより視認し易く目立たせることも可能である。それ故、小さな着色模様３８でも、目的とするコスメティック効果をより有効に得ることが可能となる。
【００８４】
更にまた、中央部分が着色されていない環形状の模様からなる着色リング２４を採用する場合でも、第一の実施形態のように円環形状とされる必要はなく、瞳孔２６への入射光が妨げられない限り、任意の環形状が採用可能である。具体的には、例えば図６（ａ）に示されているように、星形の多角環形状の着色リング２４を採用することも可能であり、また図６（ｂ），（ｃ）に示されているように、階調領域として内周階調領域３４だけが形成された星形の多角環形状の着色リング２４や、階調領域として外周階調領域３２だけが形成された星形の多角環形状の着色リング２４等も採用可能である。
【００８５】
また、このような任意環形状の着色リング２４は、第一の実施形態と同様に、瞳孔２６上に位置する中央領域を囲むように、コンタクトレンズにおける光学部等の中央領域の外周部分を周方向に延びる環形状で形成されることにより、環形状の中央透明領域を通じて視野が確保され得る。その他、かかる任意形状の着色リング２４は、コンタクトレンズの中央領域を囲むことなく、かかる中央領域を外周側に外れた位置に一つ又は複数が点在するように設けられていても良い。光学部を外周側に外れた位置に設けられる場合には、例えば図７に示されているように中実形状の着色模様４０を採用することも可能である。なお、図７の着色模様４０は、図５に示された中実円形の着色模様３８と同様に、外周階調領域３２を有している。
【００８６】
なお、図６，７に示されている如き星形に限らず、中空状の着色リングや中実の着色模様は、任意の形状で形成することが可能であり、例えば多角形やハート形、クローバ形等も適宜に採用され得る。また、外周形状を円形とし且つ内周形状を星形とするように、外周形状と内周形状を相互に異なる形状とした着色リングや、中実の着色模様の中に複数の透明領域を任意形状をもって設けた態様なども採用可能である。
【００８７】
さらに、図８（ａ），（ｂ），（ｃ）には、それぞれ、本発明の更に別の実施形態として、装用される眼の黒目１４と白目１２の境界線１６を跨いで内周側と外周側に広がる環状の、装用される眼の虹彩と同じ色相で着色された領域であるリンバルリング４２を有する色付コンタクトレンズ４４，４６，４８が示されている。
【００８８】
図８（ａ）に示された色付コンタクトレンズ４４には、レンズ幾何中心軸２２と同一中心軸上でレンズ周方向に延びて円環形状に広がるリンバルリング４２が形成されている。このリンバルリング４２は、装用者の眼の虹彩と同じ色相で形成されており、眼のリンバル１６（角膜外周縁）を覆う位置および形状に設けられている。なお、かかるリンバルリング４２は、装用者の眼の虹彩と外観上で同じ色に見えれば良く、一般に色相環で±３０度、より好適には±１５度の範囲の色相が、実質的に虹彩と同じ色として採用され得る。例えば、黒や褐色の虹彩の場合には、黒又は褐色のリンバルリング４２が実質的に虹彩と同じ色として採用可能である。
【００８９】
また、リンバルリング４２は、角膜外周縁形状に対応して実質的に円形の内周縁および外周縁を備えているが、真円である他、外観上で大きな違和感を与えない程度に楕円等であっても良い。更に、リンバルリング４２の内径寸法および外径寸法は、装用される眼の角膜外周縁より小さな内径寸法と、角膜外周縁より大きな外径寸法をもって形成されることとなり、一般的にφ８ｍｍ以上の内径寸法とφ１４ｍｍ以下の外径寸法とされる。φ８ｍｍより内径寸法が小さいと、リンバルリング４２が瞳孔２６にまで及んで視覚に悪影響を及ぼすおそれがあり、φ１４ｍｍより外径寸法が大きいとリンバルリング４２の外周側に位置する白目１２の領域が小さくなり過ぎて違和感を与えるおそれがある。
【００９０】
なお、リンバルリング４２は、前述の実施形態における着色リング２４と同様に、着色された成形モノマーを用いてコンタクトレンズの成形と同時に形成したり、手描きや写真印刷、スクリーン印刷、パッド印刷、インクジェット印刷等の任意の手法で形成することが出来る。また、べた塗り状態で全面を着色する他、着色ドット３６でリンバルリング４２を形成することも可能である。
【００９１】
このような虹彩と同じ色のリンバルリング４２を設けたことにより、黒目１４の色を自然なままで黒目１４を大きく見せることが可能になり、自然な感じで親しみのある可愛い印象を与えるコスメティック効果を得ることが可能になる。
【００９２】
なお、図８（ａ）の色付コンタクトレンズ４４では、リンバルリング４２の内周縁および外周縁が、何れも明瞭な線をもって形成されているが、図８（ｂ）に示されているように、リンバルリング４２の内周縁に対して、径方向内方に行くに従って次第に光線透過率が小さくなる移行領域５０を設けても良い。また、図８（ｃ）に示されているように、リンバルリング４２の外周縁に対して、径方向外方に行くに従って次第に光線透過率が小さくなる移行領域５２を設けても良い。
【００９３】
このような移行領域５０，５２を設けることにより、色付コンタクトレンズ４６（４８）の装用状態で、虹彩上や白目１２上において、リンバルリング４２の内周縁や外周縁により外観上で明確なラインが発生することを回避できる。その結果、リンバルリング４２により、大きな角膜領域を、より自然で人間味のある外観をもって装用者の眼に与えることが可能になる。
【００９４】
そして、図８（ａ），（ｂ），（ｃ）に記載の色付コンタクトレンズ４４，４６，４８には、何れも、このような虹彩と同じ色のリンバルリング４２に加えて、更に、本発明に従って虹彩とは異なる色の模様である着色リング５４が、設けられている。
【００９５】
かかる着色リング５４は、図１，４，６に示された着色リング２４と同様に、虹彩と異なる色が付されており、それによって、リンバルリング４２の領域上に設けられていても、かかる着色リング５４が外観上で明確に視認可能とされている。また、図８（ｂ）及び（ｃ）のリンバルリング４２には、図１，４，６に示された着色リング２４と同様に、その幅方向の中間部分に定色領域３０が形成されていると共に、その内周部分および外周部分の少なくとも一方の領域において、それぞれ移行領域５０および移行領域５２の少なくとも一方が形成されている。なお、図８（ａ），（ｂ），（ｃ）に示された着色リング５４では、何れも、要部拡大詳細図に示されているように、外周階調領域３２が設けられている。
【００９６】
このように、リンバルリング４２に加えて、着色リング５４を設けることにより、リンバルリング４２による外観上での瞳孔径の拡大効果と併せて、着色リング５４によるコスメティック効果を得ることが可能になり、特に、リンバルリング４２の上に重ねて着色リング５４を設けることにより、リンバルリング４２に付された色により着色リング５４の色を一層目立たせる等の効果も期待できる。
【００９７】
ところで、図８（ａ），（ｂ），（ｃ）に示された模様としての着色リング５４に代えて、例えば、図５や図８に示されている如き中央を塗りつぶしたような中実形状の色付模様を採用することも可能である。
【００９８】
また、このような着色リング５４や色付模様を、虹彩と同色のリンバルリング４２と組み合せて採用する場合でも、リンバルリング４２から内周側又は外周側に外れた位置に色付模様を付することも可能である。その態様を、図９〜１１に例示する。
【００９９】
図９に示された色付コンタクトレンズ５６では、リンバルリング４２を内周側に外れた領域と外周側に外れた領域とのそれぞれにおいて、周上で部分的に位置する着色リング５８，６０が設けられている。なお、かかる着色リング５８，６０は、色付コンタクトレンズ５６の周上で等間隔に複数形成することも可能であるが、例示のように周上で着色リング５８，６０を一つ又は複数偏在させる場合には、プリズムバラストやダブルシン等の公知の周方向位置決め手段により、装用状態下での着色リング５８，６０の位置を設定することも可能である。なお、本実施形態における着色リング５８，６０のそれぞれの外周側には、外周階調領域３２が設けられている。
【０１００】
また、図１０に示された色付コンタクトレンズ６２では、リンバルリング４２の内周側に着色リング６４が設けられている。かかる着色リング６４は、図１に示された実施形態と同様な構造とされており、リンバルリング４２と同一中心軸上で、リンバルリング４２の内周縁に沿って周方向で円環形状に延びている。
【０１０１】
更にまた、図１１に示された色付コンタクトレンズ６６では、リンバルリング４２の外周側に着色リング６８が設けられている。この着色リング６８も、図１に示された実施形態と同様な構造とされており、リンバルリング４２と同一中心軸上で、リンバルリング４２の外周縁に沿って周方向で円環形状に延びている。
【０１０２】
また、図１０および図１１に示された着色リング６４，６８には、外周階調領域３２および内周階調領域３４が形成されている。そして、図１０の色付コンタクトレンズ６２では、着色リング６４の外周階調領域３２が、リンバルリング４２に重なる領域に形成されて、リンバルリング４２の内周縁部から外周側に向かってリンバルリング４２の中に延び出して広がる状態で形成されている。一方、図１１の色付コンタクトレンズ６６では、リンバルリング４２が定色領域３０と外周側の移行領域５２を備えており、かかる外周側の移行領域５２の更に外周側に着色リング６８が設けられている。要するに、リンバルリング４２の外周側の移行領域５２の更に外周側に、着色リング６８の内周階調領域３４が設けられている。
【０１０３】
そして、図１０に示された色付コンタクトレンズ６２では、装用状態下で、角膜外周縁上に位置するリンバルリング４２の内周側で、着色リング６４が虹彩上に位置せしめられるようになっている。一方、図１１に示された色付コンタクトレンズ６６では、装用状態下で、角膜外周縁上に位置するリンバルリング４２の内周側で、着色リング６８が白目１２上に位置せしめられるようになっている。
【０１０４】
更に、本発明の別の実施形態における色付コンタクトレンズ６９を図１２に示す。本実施形態では、模様２０の内周側に位置する領域に、虹彩パターン７０が着色形成されている。なお、図１２における模様２０には図１の着色リング２４を用いている。
【０１０５】
この虹彩パターン７０は、模様２０（着色リング２４）の内周側の領域、即ち人眼の虹彩上に形成される。虹彩パターン７０の形状は図示されているものに限定されるものではなく、図１２においては複数の着色されたドット７１により構成されているが、着色ドット７１の他、多角形や線分等でも構成され得るとともに、これらの密度、大きさ、光線透過率等は任意に設定できる。また、虹彩パターン７０、要するに着色ドット７１は、装用者の視界の観点から、できるだけ瞳孔２６上には形成されないか、或いは瞳孔２６上では光線透過率を小さくすることが好ましい。更に、虹彩パターン７０（着色ドット７１）の着色方法は着色リング２４と同様に、公知の印刷方法が採用され得るが、特にインクジェット印刷やパッド印刷が好ましい。更にまた、虹彩パターン７０（着色ドット７１）の色相も、着色リング２４と同様に、特に限定されるものではなく、虹彩パターン７０（着色ドット７１）の色相と着色リング２４の色相を同じとすることも異ならせることも可能である。
【０１０６】
そして、色付コンタクトレンズ６９を装用することにより、第三者が装用者を視認する際、虹彩パターン７０の色相が重ね合わされた装用者の虹彩の色相を認識することとなる。例えば、虹彩パターン７０（着色ドット７１）の色相を装用者の虹彩の色相と略同じにすることにより、第三者に非常に立体的で奥行きのある瞳であるという印象を与えることができると共に、色付コンタクトレンズ６９を装着しているという印象を与えにくくすることが可能となる。或いは、虹彩パターン７０（着色ドット７１）の色相を装用者の色相と大きく異ならせることにより、第三者に装用者本来の虹彩の色相とは異なる虹彩の色相を認識させやすくなり、色付コンタクトレンズ６９の装着前とは異なった印象を与えやすくなる。更にまた、前述の着色リング２４と色相を略同じにすることにより、虹彩の色相を変化させながらも、その色相が変化する境界線を明確にしないというコスメティック効果が十分に発揮されるのである。
【０１０７】
以下、本発明の実施例を参考的に示すこととする。先ず、図１３（ａ）に示されているように、前記図１１に示された実施形態と同様にリンバルリング４２の外周に着色リング２４を設けた構造の色付コンタクトレンズ７２を、実際に人眼に装用した状態を表す撮像図（ＣＧによって人眼の写真にコンタクトレンズを重ね合わせたもの）を、図１３（ｂ），（ｃ）に示す。なお、特許図面上の制約があるのでモノトーンの図面となっているが、図１３（ｂ），（ｃ）は、それぞれ、眼瞼に施したアイシャドーの色との調和を考慮して、ピンク色の着色リング（ｂ）とブルー色の着色リング（ｃ）を装用した状態を示したものである。
【０１０８】
また、図１４（ａ）に示されているように、前記図８（ｂ）に示されているように内周側に移行領域５０が形成されたリンバルリング４２に加えて、かかるリンバルリング４２の径方向中間部分を周方向に延びる着色リング２４を設けた構造の色付コンタクトレンズ７４を、実際に人眼に装用した状態を表す撮像図（ＣＧによって人眼の写真にコンタクトレンズを重ね合わせたもの）を、図１４（ｂ），（ｃ）に示す。なお、図１４（ｂ），（ｃ）も、それぞれ、眼瞼に施したアイシャドーの色との調和を考慮して、ピンク色の着色リング（ｂ）とブルー色の着色リング（ｃ）を装用した状態を示したものである。また、かかる着色リング２４は、径方向中間部分に設けられた円環形状の定色領域３０に対して外周階調領域３２および内周階調領域３４が設けられた構造とされている。
【０１０９】
図１３，１４では、装用状態がモノトーンで表されていることから、本発明によって発揮される自然な又は柔らかい印象を保持しつつ発揮されるコスメティック効果を明確に認識することが難しいが、人眼にコスメティック効果を与えうることと、アイシャドーとの相互調和も図られ得る程度のことは、看取又は容易に想像し得るところである。
【０１１０】
以上、本発明の実施形態について説明してきたが、本発明はかかる実施形態における具体的な記載によって限定的に解釈されるものでなく、当業者の知識に基づいて種々なる変更，修正，改良などを加えた態様で実施可能である。
【０１１１】
例えば、前記実施形態の何れか１つに記載の色付コンタクトレンズを複数用いると共に、各色付コンタクトレンズに同じか、或いは異なる形状の模様２０を施し、その模様２０の色相としてアイシャドーの色相に対応した複数色を、それぞれの模様に設定し、その複数色の模様２０を有する複数種類の色付きコンタクトレンズを組み合わせて、色付きコンタクトレンズセットを構成しても良い。前記図１３及び図１４でも示されているように、アイシャドーと色付コンタクトレンズの相互作用により更なるコスメティック効果を発揮することが可能となるが、常に同じ色相のアイシャドーが使用されるというわけではなく、アイシャドーは気分や雰囲気、或いはフォーマルな場所やカジュアルな場所で使い分けるのが一般的である。そのような場合、アイシャドーと模様２０との色の組み合わせを適切に選択することにより、一層のコスメティック効果が発揮され得る。このことからアイシャドーの色相に対応した複数色の模様２０を有する、複数の色付コンタクトレンズから構成される色付コンタクトレンズセットが好適に採用される。なお、模様２０に対応付けられるアイシャドーの色相は任意に設定することが可能であるが、例えば特定のアイシャドー商品を対象として、当該アイシャドー商品に用いられる色相に対して模様２０の色相を対応付けた色付コンタクトレンズセットとしても良い。
【０１１２】
前記実施形態では、着色リング２４と虹彩パターン７０（着色ドット７１）の色相を同じとする、或いは異ならせることで更なるコスメティック効果が得られると述べたが、それだけではなく、着色リング２４、虹彩パターン７０（着色ドット７１）に、アイシャドーを加えることもコスメティック効果が得られる要素の一つであると考えられる。その際、着色リング２４、虹彩パターン７０（着色ドット７１）、アイシャドーのそれぞれの色相を同系色で揃えたり、何れか一つ、或いはそれぞれの色相を異ならせることにより、おしゃれを楽しむことができるのである。
【符号の説明】
【０１１３】
１０，４４，４６，４８，５６，６２，６６，７０，７２：色付コンタクトレンズ、２０：模様、２２：レンズ幾何中心軸、２４，５４，５８，６０，６４，６８：着色リング、２６：瞳孔、２８：外周透明領域（非着色領域）、３０：定色領域、３２：外周階調領域、３４：内周階調領域、３６：着色ドット、３８，４０：着色模様、４２：リンバルリング、５０，５２：移行領域
【図１】
2013130716.tif 000003
【図２】
2013130716.tif 000004
【図３】
2013130716.tif 000005
【図４】
2013130716.tif 000006
【図５】
2013130716.tif 000007
【図６】
2013130716.tif 000008
【図７】
2013130716.tif 000009
【図８】
2013130716.tif 000010
【図９】
2013130716.tif 000011
【図１０】
2013130716.tif 000012
【図１１】
2013130716.tif 000013
【図１２】
2013130716.tif 000014
【図１３】
2013130716.tif 000015
【図１４】
2013130716.tif 000016